(57)【要約】【課題】川の流れによって容易に扉が開くことなく、おとり鮎の体力を維持したままおとり鮎を確実に保存することができるオトリ缶の提供。【解決手段】オトリ缶１０は、本体１１と、本体１１に設けられた中蓋部材２１と、本体１１の上面１６に取り付けられる外蓋部材とを備える。中蓋部材２１には、扉２７ａ、２７ｂが設けられている。扉２７ａ、２７ｂは、微細孔４０が設けられ、メッシュ状に形成されている。【選択図】  図２
2005040026.tif 000002
【特許請求の範囲】
【請求項１】
おとり鮎を収容する収容空間が形成された本体と、
本体の周面の所定位置に設けられ、上記収容空間と連通する開口部と、
開口部を開閉する観音開き式の扉と、
扉を常時閉状態に弾性付勢する付勢部材とを有し、
上記扉は、水が通過可能であり且つおとり鮎が通過不可能な構造を備えているオトリ缶。
【請求項２】
上記扉は、微細貫通孔が多数形成されることによって水が通過可能に構成されている請求項１記載のオトリ缶。
【請求項３】
上記微細貫通孔は、その深さ方向に沿ってクランク状に形成されている請求項２記載のオトリ缶。
【発明の詳細な説明】
【０００１】
【発明の属する技術の分野】
この発明は、鮎釣りに使用されるおとり鮎を保存するためのオトリ缶の構造に関するものである。
【０００２】
【従来の技術及び発明が解決しようとする課題】
鮎釣りでは、おとり用の鮎を用いた「友釣り」と称される釣法が採用されることが多い。この友釣りでは、複数尾のおとり鮎が体力を保持したまま保存されることが重要である。そのため、従来から「オトリ缶」と称されるおとり鮎の保存用箱が用いられる。
図５は、従来の一般的なオトリ缶の斜視図である。
このオトリ缶１は、おとり鮎を内部に収容した状態で水中に置かれる。オトリ缶１には、一般にその内部と外部（川）と連通するスリット状の窓部２が設けられており、これにより、川から水が流入／流出し、オトリ缶１の内部に水流が形成されるようになっている（例えば、特許文献１参照）。
【０００３】
また、オトリ缶１には、扉３が設けられている。この扉３は、いわゆる観音開き式に取り付けられており、同図が示す閉状態から内側へ開くようになっている。扉３は、所要の弾性部材等によって常時閉状態となるように弾性付勢されている。
この扉３は、例えば釣れた鮎が新たにおとり鮎として使用される場合に、釣人が開き、鮎を挿入するために使用される。
【０００４】
【特許文献１】
実開昭６３−２６２７９号公報
【０００５】
ところで、オトリ缶１は、同図が示すように、上記窓部２が設けられた面４（図５では上面）が川の流れに対して平行状態となるように配置されることが多い。しかし、オトリ缶１の使用中にオトリ缶１の姿勢が変化し、川の流れに対して略直交するように配置されてしまうこともある。
その場合、流水が直接扉３に衝突することになるが、流水の力で扉３が開いてしまうおそれがある。扉３が不用意に開いてしまうと、おとり鮎が逃げてしまうことも考えられるし、オトリ缶１の内部に激流が生じ、おとり鮎の体力が低下してしまうことがある。
このような不都合が解消されるために、扉３を付勢するための付勢力を大きくすればよいが、その場合には、釣人は、扉３を開ける作業がしずらくなり、オトリ缶１の使い勝手が悪くなる。
【０００６】
そこで、本発明の目的は、川の流れに対する姿勢が変化したとしても、おとり鮎の体力を維持したままおとり鮎を確実に保存することができ、しかも、おとり鮎が挿通されやすい使い勝手の良いオトリ缶を提供することである。
【０００７】
【課題を解決するための手段】
（１）  上記目的を達成するため、本願に係るオトリ缶は、おとり鮎を収容する収容空間が形成された本体と、本体の周面の所定位置に設けられ、上記収容空間と連通する開口部と、開口部を開閉する観音開き式の扉と、扉を常時閉状態に弾性付勢する付勢部材とを有し、上記扉は、水が通過可能であり且つおとり鮎が通過不可能な構造を備えていることを特徴とするものである。
【０００８】
この構成によれば、本体の収容空間におとり鮎が収容された状態で本体が水中（川の流れの中）に配置される。水流に対する本体の配置方向（姿勢）によっては、川の流れが扉に対して直交する場合があるが、その場合であっても、水は、扉を通過して収容空間へ流れる。したがって、扉を付勢する付勢部材の付勢力が特別に大きくなくても、扉が水の圧力によって開いてしまうことはない。しかも、扉を通過した水は、本体内に流入するから、収容空間内に常に新鮮な水が供給される。
【０００９】
（２）  上記扉は、微細貫通孔が多数形成されることによって水が通過可能に構成されているのが好ましい。
この構成では、水が扉を通過するための構造は、扉に形成された微細貫通孔により構成されるから、構造がきわめて簡単であると共に、水が扉をきわめて円滑に通過する。
【００１０】
（３）  上記微細貫通孔は、その深さ方向に沿ってクランク状に形成されているのが好ましい。
この構成では、微細貫通孔を通過する水の流速が減速されるから、上記収容空間内に激流が生じることがない。また、光が微細貫通孔を通過して上記収容空間内に達することが抑制される。
【００１１】
【発明の実施の形態】
以下、適宜図面が参照されつつ、好ましい実施形態に基づいて本発明が詳細に説明される。
【００１２】
図１は、本発明の一実施形態に係るオトリ缶１０の斜視図である。
オトリ缶１０は、鮎釣り（友釣り）に使用されるおとり鮎を収容し保存するためのものであって、本体１１と、これに取り付けられた外蓋部材１２とを備えている。
この外蓋部材１２は、合成樹脂等によって一体的に成形されており、ラッチ１３によって本体１１の上部に着脱自在に設けられている。なお、外蓋部材１２には、凹部１４が設けられている。この凹部１４は、空気供給ポンプを保持するようになっており、空気供給ポンプによって本体１１の内部（後述の収容空間１５）に空気が供給されるようになっている。
【００１３】
図２は、オトリ缶１０の要部斜視図であって、上記外蓋部材１２が本体１１から取り外された状態が図示されている。
本体１１は、本実施形態では中空の直方体状に形成されている。もっとも、本体１１の外形形状は、直方体状に限定されるものではなく、他の形状が採用されてもよいことは言うまでもない。本体１１は、合成樹脂等によって一体的に成形されている。
本体１１の内部には、おとり鮎が収容される収容空間１５が区画形成されている。本体１１の上面１６（周面の所定位置）には、開口１７が形成されており、当該開口１７は、上記収容空間１５と連通している。
【００１４】
また、本体１１の側面１８には、図示しない貫通孔が設けられており、この貫通孔に円形扉１９が取り付けられている。円形扉１９も、合成樹脂等によって一体的に形成されている。
上記貫通孔を区画形成する壁面にはねじ部が形成されており、円形扉１９は、このねじ部と螺合している。したがって、円形扉１９が一の方向（通常は右方向）に回転されることによって、当該円形扉１９が本体１１に対して液密的に固定され、また、一の方向と逆方向（通常は左方向）に回転されることによって本体１１から取り外される。
なお、円形扉１９には、摘み部２０が形成されており、釣人は、この摘み部２０に指を掛けて容易に円形扉１９を回転させることができるようになっている。
【００１５】
本体１１には、中蓋部材２１が取り付けられている。この中蓋部材２１も合成樹脂等により一体的に形成されている。
中蓋部材２１の外形形状は、本体１１の開口１７の形状に対応されており、中蓋部材２１は、開口１７にぴったりと嵌め込まれるように取り付けられている。具体的には、中蓋部材２１は、蝶番２２によって本体１１の上面１６に取り付けられており、蝶番２２を介して本体１１に対して回動されることによって、上記開口１７が開閉されるようになっている。
なお、中蓋部材２１は、ロック部材３１を備えており、ロック部材３１が操作されることによって、中蓋部材２１は、閉状態にロックされる。
【００１６】
また、中蓋部材２１は、その上面に開閉扉２３を備えている。中蓋部材２１は、本体１１に取り付けられることによって、中蓋部材２１の上面が本体１１の上面１６の一部を構成することになる。この開閉扉２３も蝶番２４により中蓋部材２１に取り付けられており、矢印Ｐの方向に沿って回動されることによって中蓋部材２１に対して開閉するようになっている。なお、開閉扉２３は、ロック部材２５を備えており、ロック部材２５が操作されることによって、開閉部材２３は、閉状態にロックされる。
【００１７】
加えて、開閉扉２３は、開口部２６を備えている。この開口部２６は、上記収容空間１５と連通している。そして、中蓋部材２１には、この開口部２６を開閉する一対の扉２７ａ、２７ｂが設けられている。
図３は、中蓋部材２１が開かれた状態での裏面図であり、中蓋部材２１を裏側から見た状態を図示している。
【００１８】
各扉２７ａ、２７ｂは、左右対称形状に形成され、いわゆる観音開き式に取り付けられている。開閉扉２３には、各扉２７ａ、２７ｂを支持するための支持部３５，３６が設けられている。これら支持部３５，３６は、円形パイプ状に形成されている。
一方、各扉２７ａ、２７ｂには、回動基部３７，３８が設けられている。これら回動基部３７，３８は、円形パイプ状に形成されており、上記支持部３５，３６と対向配置されている。そして、支持部３５及び回動基部３７、並びに支持部３６及び回動基部３８に回動中心軸が挿通され、各扉２７ａ、２７ｂは、回動中心軸に支持された状態で、開閉扉２３に対して回動自在となっている。
【００１９】
また、開閉扉２３と、各扉２７ａ、２７ｂとの間には、所要の弾性部材３９（付勢部材）が介在されている。この弾性部材３９は、本実施形態では、ねじりコイルばねが採用されている。これにより、各扉２７ａ、２７ｂは、閉じる方向に弾性付勢され、開口部２６は、常時閉状態とされている。釣人は、この扉２７を上記付勢方向と逆方向に（図２において下方に、また、図３において紙面に対して手前側に）押圧することによって、扉２７を自在に開けることができる。
【００２０】
各扉２７ａ、２７ｂは、平板状の部材から構成されている。各扉２７ａ、２７ｂは、例えば、金属、合成樹脂等により構成される。
図２及び図３が示すように、各扉２７ａ、２７ｂは、メッシュ状に形成されており、各扉２７ａ、２７ｂを貫通する微細孔４０（微細貫通孔）が多数設けられている。この微細孔４０の内径は、１ｍｍ〜１０ｍｍの範囲で適宜設定され得る。また、微細孔４０の形状は、特に限定されるものではなく、円形のほか多角形状であってもよい。
【００２１】
また、本実施形態では、図２が示すように、中蓋部材２１に凹部２８が形成されている。
図４は、図２におけるＩＶ−ＩＶ断面図である。
図２及び図４が示すように、この凹部２８は、中蓋部材２１が収容空間１５側へ突出するように形成されることによって構成されている。凹部２８の寸法は、１００ｍｍ×１５０ｍｍ〜２００ｍｍ×３００ｍｍ程度に設定され、深さ寸法は、５ｍｍ〜２５ｍｍ程度に設定される。本実施形態では、１５ｍｍに設定されている。
【００２２】
中蓋部材２１には、窓部２９が設けられている。この窓部２９は、本実施形態では、上記凹部２８の底面部３０に形成されている。窓部２９は、スリット状に形成されており、本実施形態では、８本設けられている。もっとも、窓部２９の数には何ら制限が加えられることはない。
窓部２９は、本体１１が釣り場において水中に配置された状態で、収容空間１５内に水流を生じさせるものである。これにより、収容空間１５に収容されたおとり鮎の体力が消耗することが防止される。
窓部２９は、図４が示すように、クランク状に形成されている。これにより、窓部２９を通過する水の速度が低下し、おとり鮎の体力の消耗がさらに効果的に防止される。
【００２３】
本実施形態に係るオトリ缶１０では、本体１１の収容空間１５におとり鮎が収容された状態で本体１１が水中（川の流れの中）に配置される。水流に対する本体１１の配置方向（姿勢）によっては、川の流れが開閉扉２３の扉２７ａ、２７ｂに対して直交する場合がある。
扉２７ａ、２７ｂには、前述の微細孔４０が設けられているから、扉２７ａ、２７ｂに当たった水は、扉２７ａ、２７ｂを通過して収容空間１５へ流れる。したがって、扉２７ａ、２７ｂを付勢する弾性部材３９の付勢力が特別に大きくなくても、扉２７ａ、２７ｂが水の圧力によって開いてしまうことはない。
【００２４】
しかも、扉２７ａ、２７ｂを通過した水は、本体１１内に流入するから、収容空間１５内に常に新鮮な水が供給されるという利点もある。なお、微細孔４０の寸法が前述のように設定されるから、収容空間１５内のおとり鮎が逃げてしまうこともない。
また、扉２７ａ、２７ｂは、微細孔４０が多数形成されることによって水が通過可能となっているから、水の通過を許容するための構造がきわめて簡単であり、扉２７ａ、２７ｂの製造コストが特に上昇することもない。
【００２５】
本実施形態では、扉２７ａ、２７ｂは、上記微細孔４０が設けられることによってメッシュ状に形成されているが、微細孔４０に代えてスリットが形成されていてもよい。その場合であっても、本体１１が水中に配置され、水が扉２７ａ、２７ｂに直交したときには、当該水は、スリットを通過して収容空間１５内に流れ込む。これにより、水流によって扉２７ａ、２７ｂが開いてしまうことがなく、収容空間１５内には常に新鮮な水が供給されることになる。
【００２６】
さらに、このスリットは、上記窓部２９と同様に、その深さ方向に沿ってクランク状に形成されるのが好ましい。また、スリットは、当該クランク状に形成されるほかに、深さ方向に沿って斜めに形成されていてもよい。要するに、スリットは、その深さ方向に沿って、本体１６の上面１６に対して直交しない方向、すなわち、上面１６に直交する方向に対して一定の角度で交差する方向に形成されていればよい。
スリットがクランク状等に形成されることにより、扉２７ａ、２７ｂを通過する水が減速され、収容空間１５内に激流が生じることがなく、おとり鮎の体力が消耗することがない。また、スリットがクランク状等に形成されることにより、光（太陽光等）がスリットを通過して収容空間１５内に入ることが規制されるので、おとり鮎の体力の消耗は一層抑制されるという利点がある。
【００２７】
【発明の効果】
以上のように本発明によれば、本体に設けられた扉は水の通過を許容するから、本体が水中に配置され、その姿勢によって水流が扉に直交する場合であっても、当該水は扉を通過して収容空間へ流入するから、水圧により扉が開いてしまうことがない。しかも、収容空間へは常に新鮮な水が供給されるから、おとり鮎の体力が減少することもない。
【００２８】
したがって、川の流れに対するオトリ缶の姿勢が種々変化したとしても、オトリ缶に設けられた扉が不用意に開いてしまうことがなく、しかも、おとり鮎の体力を維持したままおとり鮎を確実に保存することができる。しかも、扉を付勢する付勢力は、通常の力で十分であるから、釣人は、釣れた鮎をおとり鮎として使用するために、扉を開いて当該鮎を本体内に挿入することができるので、従来と同様に、オトリ缶の使い勝手は良い。
【図面の簡単な説明】
【図１】図１は、本発明の一実施形態に係るオトリ缶の斜視図である。
【図２】図２は、本発明の一実施形態に係るオトリ缶の要部斜視図である。
【図３】図３は、本発明の一実施形態に係るオトリ缶の中蓋部材の裏面図である。
【図４】図４は、図２におけるＩＶ−ＩＶ断面図である。
【図５】図５は、従来の一般的なオトリ缶の斜視図である。
【符号の説明】
１０・・・オトリ缶
１１・・・本体
１２・・・外蓋部材
１５・・・収容空間
１６・・・上面
１７・・・開口
１８・・・側面
２１・・・中蓋部材
２２・・・蝶番
２３・・・開閉扉
２４・・・蝶番
２６・・・開口部
２７・・・扉
２８・・・凹部
２９・・・窓部
３０・・・底面部
３５・・・支持部
３６・・・支持部
３７・・・回動基部
３８・・・回動基部
３９・・・弾性部材
４０・・・微細孔
【図１】
2005040026.tif 000003
【図２】
2005040026.tif 000004
【図３】
2005040026.tif 000005
【図４】
2005040026.tif 000006
【図５】
2005040026.tif 000007